(57)【要約】【課題】二次電池の容量が所定値以下に消費しても３分間以内の急速充電で１０〜１２時間までの間、発光素子を連続発光させて正常状態に復帰させて夜間の屋外などでも必要な情報が認識することが可能なネームタグを提供する。【解決手段】個人の識別情報を発光素子からの照明で表示させるネームタグにおいて、前記発光素子の電源として３分間以内で初期容量の８０％まで急速充電が可能で、前記発光素子を１０〜１２時間まで連続発光可能な二次電池を備えたことを特徴とするネームタグ。【選択図】    図２
2007163583.tif 000002
【特許請求の範囲】
【請求項１】
個人の識別情報を発光素子からの照明で表示させるネームタグにおいて、
前記発光素子の電源として３分間以内で初期容量の８０％まで急速充電が可能で、前記発光素子を１０〜１２時間まで連続発光可能な二次電池を備えたことを特徴とするネームタグ。
【請求項２】
前記発光素子は、ＬＥＤ素子であることを特徴とする請求項１記載のネームタグ。
【請求項３】
前記二次電池は、１回の急速充電で前記発光素子を１０〜１２時間まで発光可能な容量を有する特徴とする請求項１記載のネームタグ。
【発明の詳細な説明】
【技術分野】
【０００１】
本発明は、名前や写真などを表示し、個人を識別するネームタグに関する。
【背景技術】
【０００２】
従来から使用されているネームタグは、人物の識別情報を記載した表示カードをケースに入れ、クリップや安全ピン、紐などで装着するものである。このネームタグは、夜間の屋外において表示カードの情報を認識しづらい問題があった。
【０００３】
このようなことから、例えば特許文献１には発光機能を付設したネームタグが開示されている。この特許文献１には、発光素子を発光させるための電源に利用する電池として特に特定されてないが、例えば充電不可なコイン型一次電池な場合、一般に約２０ｍＡ程度の大電流を必要とする高輝度LEDの使用は適さない。
【０００４】
また、発光素子を発光させるための電源例えば二次電池を使用した場合でも、従来の二次電池では電池初期容量の８０％を充電するには０．５〜４時間を必要とする。その上、ネームタグは電池が消耗した場合、充電までに０．５〜４時間を必要とするために電池の消耗を管理するためのオン／オフのスイッチが必要になり、部品点数の増加を招く。しかも、スイッチを設けても、そのオフ操作を忘れた場合には０．５〜４時間の充電を必要とし、取り扱いに難点がある。
【０００５】
一方、３分間の充電でネームタグの使用期間に発光素子を発光させるに必要な電気容量を賄うには、必要以上に大容量の二次電池を搭載することからネームタグ自体も大きくなり、ネームタグの小型化ができず、実用性に欠ける。
【特許文献１】特開２００４−３１７８２０
【発明の開示】
【発明が解決しようとする課題】
【０００６】
本発明は、二次電池の容量が所定値以下に消費しても３分間以内の急速充電で１０〜１２時間までの間、発光素子を連続発光させて正常状態に復帰させて夜間の屋外などでも必要な情報を認識することが可能なネームタグを提供するものである。
【課題を解決するための手段】
【０００７】
本発明によると、個人の識別情報を発光素子からの照明で表示させるネームタグにおいて、
前記発光素子の電源として３分間以内で初期容量の８０％まで急速充電が可能で、前記発光素子を１０〜１２時間まで連続発光可能な二次電池を備えたことを特徴とするネームタグが提供される。
【発明の効果】
【０００８】
本発明によれば、二次電池の容量消費を気にせずに発光素子を連続発光させて夜間の屋外などでも必要な情報が認識することが可能で、かつ二次電池の容量が所定値まで消費された場合、例えば出社時の僅かな時間（３分間以内）の充電により１０時間までの間、発光素子を連続発光させて正常状態に復帰させることが可能な小型、軽量で取り扱いが簡便なネームタグを提供することができる。
【発明を実施するための最良の形態】
【０００９】
以下、本発明の実施形態に係るネームタグを図面を参照して詳細に説明する。
【００１０】
図１は、この実施形態に係るネームタグを示す斜視図、図２は図１のネームタグの分解斜視図、図３は電源系統およびこの電源系統に接続されるプリント基板の構成を示す図である。
【００１１】
ネームタグ１は、７０ｍｍ×１００ｍｍ×７ｍｍの名刺大の寸法を有する。このネームタグ１は、図１、図２に示すように上面の左右端に蒲鉾状の突起部２ａ，２ｂが一体的に形成されたプラスチック製の下ケース３を備えている。外部端子３１が差し込まれるコネクタ４は、一端が前記左端側の突起部２ａの左側面に開口し、他端が下ケース３の上面に延出されている。前記下ケース３の前部端面には、ねじ穴５が切り込まれている。また、後述する支持軸の２本のピンが係合される切欠部６は、前記突起部２ａ，２ｂの後部側の端部に前記下ケース３の上面と平行になるように形成されている。なお、後述するプリント基板の配置領域を除く下ケース表面には、反射膜が形成されている。
【００１２】
プリント基板７は、前記突起部２ａ，２ｂ間の前記下ケース３上面に固定されている。このプリント基板７は、表面に反射膜（図示せず）が被覆されている。前記プリント基板７は、左端側の突起部２ａの近傍に矩形状穴８が開口されると共に、前記コネクタ４を押える２つの爪９ａ，９ｂが形成されている。３分間以内で初期容量の８０％まで急速充電が可能で、後述する発光素子を例えば１２時間まで連続発光可能な二次電池、例えば薄型二次電池１０は、前記矩形状穴７が位置するプリント基板６に実装されている。この二次電池１０の正負極端子（図示せず）は、前記矩形状穴８を通して前記コネクタ４に接続されている。発光素子、例えば順電圧３．６Ｖ ，動作電流２０ｍＡの白色高輝度ＬＥＤ１１は、前記プリント基板７における右端側の突起部２ｂ近傍の後部コーナ部分に実装されている。このようなプリン基板７は、図３に示すように前記コネクタ４と接続された薄型二次電池１０と、この二次電池１０に接続されたＤＣ／ＤＣコンバータ１２、このコンバータ１２に例えば１０ｍＡの定電流で２個並列されたダイオード１３を通して接続される前記ＬＥＤ１１を有する。なお、充電時においては前記コネクタ４は外部端子３１および充電器３２を通してＡＣ電源３３に接続される。
【００１３】
表示カード１４は、前記プリント基板７を含む前記下ケース３上面に着脱可能に配置されている。この表示カード１４は、白色のカード紙に会社名、所属、名前等を印刷したものである。前記表示カード１４には、前記プリント基板７上に配置したときに前記ＬＥＤ１１がそのカード１４から突出するように右端側の突起部２ｂ近傍の後部コーナ部分に切欠１５を形成している。
【００１４】
両端にピン１６ａ，１６ｂを有する支持軸１７は、前記下ケース３の後部端面にそれらピン１６ａ、１６ｂを前記突起部２ａ，２ｂの切欠部６に係脱可能に配置されている。内面に反射膜が覆われた透明シート１８は、その一端が前記支持軸１７の全長に亘って固定され、他端が前記下ケース３を含む前記表示カード１４を覆うように延出されている。また、前記透明シート１８はその他端に穴１９を有する係合片２０がその透明シート１８面に対して下方に直角になるように取り付けられている。このような透明シート１８において、前記係合片２０を前記下ケース３の前部端面のねじ穴５にその穴１９を合致させ、ねじ２１をこの穴１９を通してねじ穴５に螺合することにより透明シート１８の他端側が固定される。すなわち、支持軸１７に固定された透明シート１８は下ケース３に対して着脱可能に配置される。
【００１５】
さらに、首から下げられるように紐（またはボールチェーン）２２は、前記突起部２ａ，２ｂに連結部材（図示せず）を介して取り付けられている。
【００１６】
前記３分間以内で初期容量の８０％まで急速充電が可能で、ＬＥＤ１１を１２時間まで連続発光可能な薄型二次電池１０は、特開２００５−１２３１８３に示されているように例えばアルミニウムラミネートフィルムからなる外装部材のような容器と、この容器内に収容された非水電解質と、前記容器内に収納された正極と、前記容器内に収納され、アルミニウム箔またはアルミニウム合金箔よりなる負極集電体に平均粒子径が１μｍ以下の粒度分布を有するリチウムイオンを吸蔵・放出するチタン酸リチウムのような物質を負極活物質粒子として含む負極層が担持された負極とを備えた構造を有する。
【００１７】
前記薄型二次電池１０は、具体的には２２．０ｍｍ×４３．００mm×５．４mmの寸法を有し、充電器３２から外部端子３１およびコネクタ４を通して充電電流６Ａの一定で２．４分間の入力により電気容量の３００ｍＡｈの８０％を充電することができる。
【００１８】
なお、前記二次電池の容量の８０％充電を超える容量の満充電防止を目的で、前記充電器にタイマーと電圧感知機能を設け、充電電流が６Ａを超えたときには充電回路が遮断されるよう電流ヒューズを設置してもよい。また、充電器の暴走を防ぐ目的で温度ヒューズも設置したり、電池電圧の監視機能を設け電池電圧が２．８Vに到達した時点で充電が停止されるような回路を設けたりしてもよい。これによって、二次電池の８０％を越える容量の充電を制御して二次電池および充電器の安全性を確保することが可能になる。
【００１９】
このような図１〜図３に示すネームタグにおいて、予め表示カード１４を前記プリント基板７を含む前記下ケース３上面に配置し、支持軸１７を前記下ケース３の後部端面にそれらピン１６ａ、１６ｂを前記突起部２ａ，２ｂの切欠部６に係合させて固定し、その支持軸１７の透明シート１８の他端の係合片２０を前記下ケース３の前部端面のねじ穴５にその穴１９を合致させ、ねじ２１をこの穴１９を通してねじ穴５に螺合して透明シート１８の他端側が固定することにより、前記表示カード１４を下ケース３と透明シート１８間の空間に収納する。例えば朝出勤時に外部端子３１を下ケース３のコネクタ４に差込み、ＡＣ電源３３から充電器３２、外部端子３１、コネクタ４を通してプリント基板７に搭載された薄型二次電池１０に充電する。このとき、薄型二次電池１０は充電電流が６Ａ一定で２．４分間の急速充電でその電気容量の３００ｍＡｈの８０％が充電され、ＬＥＤ１１を１２時間連続発光させることが可能になる。
【００２０】
このような二次電池１０の充電後においては、ＬＥＤ１１が発光され、下ケース３表面、プリント基板７表面および透明シート１８内面にそれぞれ被覆した反射膜で反射させることによって、夜間の屋外などでも表示カード１８の個人情報を明瞭に認識することが可能になる。
【００２１】
したがって、実施形態に係るネームタグは３分間以内で初期容量の８０％まで急速充電が可能で、発光素子を１２時間連続発光させることが可能な薄型二次電池１０のような二次電池を備えているため、その二次電池の容量消費を気にすることなく、夜間の屋外などでも表示カード１４の個人情報を認識することができる。具体的には、二次電池１０を朝出勤時に３分間の充電で発光素子を１２時間連続発光させる設計にすることにより、翌日の出勤時には発光素子が発光しない設計も可能であり、出勤時に消灯したネームタグを見ることで充電を忘れることなく実行できる。
【００２２】
また、二次電池による発光素子の発光時間を１２時間（例えば朝の出勤時間から１２時間）と定めることによって、二次電池を小型、軽量化でき、結果として薄膜化、軽量化が図られたネームタグを得ることができる。
【００２３】
さらに、前記二次電池の特性によりネームタグの薄膜化、軽量化を維持したまま、高輝度ＬＥＤ１１のような発光素子を発光できるため、夜間の屋外などでも表示カード１４の個人情報をより明瞭に認識することができる。
【００２４】
さらに、実施形態のネームタグはオン／オフのスイッチを必要としないため、部品点数を低減できる。
【００２５】
なお、実施形態では発光素子としてＬＥＤを用いたが、例えば有機ＥＬディスプレイ、半導体レーザーなどを用いてもよい。
【図面の簡単な説明】
【００２６】
【図１】本発明の実施形態に係るネームタグを示す斜視図。
【図２】図１のネームタグの分解斜視図。
【図３】電源系統およびこの電源系統に接続されるプリント基板の構成を示す図。
【符号の説明】
【００２７】
１…ネームタグ、２ａ，２ｂ…突起部、３…下ケース、４…コネクタ、７…プリント基板、１０…薄型二次電池、１１…高輝度ＬＥＤ、１４…表示カード、１７…支持軸、１８…透明シート。
【図１】
2007163583.tif 000003
【図２】
2007163583.tif 000004
【図３】
2007163583.tif 000005